(57)【特許請求の範囲】
【請求項１】
回転軸孔側を凸とした複数の円弧状フラックスバリアを同心状に形成するとともに、前記複数の円弧状フラックスバリアを前記回転軸孔の周囲に間隔をおいて形成した鉄心片を積層して成り、前記円弧状フラックスバリアの延設方向に沿って磁束が流れ易い突極方向と、前記円弧状フラックスバリアの並設方向に沿って磁束が流れ難い非突極方向とのインダクタンスの差に基づいて生じるリラクタンストルクにより回転するリラクタンスモータ用回転子積層鉄心において、
前記鉄心片の前記円弧状フラックスバリアを、カシメ部を兼ねる円弧状凹凸段部から構成し、同一形状の前記円弧状凹凸段部を順次嵌合することで前記各鉄心片が互いにかしめ積層されて一体化していることを特徴とするリラクタンスモータ用回転子積層鉄心。
【請求項２】
前記円弧状凹凸段部に貫通孔を形成したことを特徴とする請求項１記載のリラクタンスモータ用回転子積層鉄心。
【発明の詳細な説明】
【技術分野】
【０００１】
本発明は、リラクタンスモータ用回転子積層鉄心に関し、詳しくは、回転軸孔側を凸とした複数の円弧状フラックスバリアを同心状に形成するとともに、複数の円弧状フラックスバリアを前記回転軸孔の周囲に間隔をおいて形成した鉄心片を積層して成る、リラクタンスモータ用回転子積層鉄心の細部構造に関するものである。
【背景技術】
【０００２】
例えば、各種工作機械や自動車等に搭載される駆動電動機としては、耐久性の向上や大出力化の要求から、従来のブラシ付きモータからブラシレスモータへの置き換えが進んでおり、上記ブラシレスモータの一態様として、多相交流によって進行波磁界を生じる固定子積層鉄心内において、突極型磁路を有する回転子積層鉄心が上記進行波磁界に同期して回転する原理のモータ、すなわちリラクタンスモータ(特にシンクロナスリラクタンスモータ)の提供が為されている(例えば、特許文献１参照)。
【０００３】
図８に示す如く、リラクタンスモータにおける回転子積層鉄心(リラクタンスモータ用回転子積層鉄心)Ａは、所定枚数の鉄心片(回転子鉄心片)Ｐ、Ｐ…を積層し、これら鉄心片Ｐ、Ｐ…を一体化することによって構成されており、中央には回転軸孔Ｏが開口しているとともに、上記回転軸孔Ｏの周囲にはフラックスバリア(磁束障壁)としての円弧状スリットＳ、Ｓ…が形成されている。
【０００４】
ここで、上記回転子積層鉄心Ａにおいては、磁気的な突極方向の磁路と非突極方向の磁路とを形成するため、各々の鉄心片Ｐ、Ｐ…に、回転軸孔Ｏ側を凸とした複数の円弧状スリットＳ、Ｓ…が同心状に形成されており、これら同心状に形成された円弧状スリットＳ、Ｓ…のグループは、上記回転軸孔Ｏの周囲に間隔をおいて複数組形成されている。
【０００５】
これにより、円弧状スリットＳ、Ｓ…の延設方向に沿って、磁束の流れ易い突極方向(ｄ−ｄ軸)の磁路が形成されるとともに、円弧状スリットＳ、Ｓ…の並設方向に沿って、磁束が流れ難い非突極方向(ｑ−ｑ軸)の磁路が形成され、上記回転子積層鉄心Ａは、突極方向と非突極方向とのインダクタンスの差に基づいて生じるリラクタンストルクにより回転することとなる。
【０００６】
ここで、上述した回転子積層鉄心Ａにおいては、円弧状スリットＳ、Ｓ…が形成されていることで、回転に伴う遠心力に対する耐力が低下するために、上記遠心力に抗して高速回転に耐えられるよう、円弧状スリットＳ、Ｓ…にプラスチック等の非磁性材を充填する構成が提供されている(例えば、特許文献２参照)。
【０００７】
すなわち、図９に示す従来の回転子積層鉄心Ａ′において、積層された鉄心片Ｐ′、Ｐ′…における回転軸孔Ｏ′の周囲に形成された円弧状スリットＳ′、Ｓ′…には、積層された鉄心片Ｐ′、Ｐ′…の上面と下面とを覆うプラスチック等の非磁性材から成るケーシングＣ′の一部Ｃｓ′、Ｃｓ′…が充填されている。
【特許文献１】特開２００１−２５８２２２号公報
【特許文献２】特開平９−２８５０８７号公報
【発明の開示】
【発明が解決しようとする課題】
【０００８】
ところで、上述した従来の回転子積層鉄心Ａ′によれば、積層された鉄心片Ｐ′、Ｐ′…の円弧状スリットＳ′、Ｓ′…に、プラスチック等の非磁性材を充填したことで、高速回転に伴う遠心力に対する適応した強度を獲得し得るものの、その製造に際しては、プレス金型装置によって金属板から打抜き形成した鉄心片Ｐ′、Ｐ′…を積層し、こののち上記積層体に対して非磁性材料を充填する工程を必要とすることから、新たな材料の使用や工程の増加に伴い、製造に関わる繁雑化やコストの増大を招いてしまう不都合があった。
【０００９】
本発明は、上述した実状に鑑みて、従来の回転子積層鉄心に見られた非磁性体の充填に伴う製造の繁雑化やコストの増大を伴うことなく、機械的強度が大きく回転による遠心力に対して十分に適用することの可能な、リラクタンスモータ用回転子積層鉄心の提供を目的とするものである。
【課題を解決するための手段】
【００１０】
上記目的を達成するべく、請求項１の発明に関わるリラクタンスモータ用回転子積層鉄心は、回転軸孔側を凸とした複数の円弧状フラックスバリアを同心状に形成するとともに、前記複数の円弧状フラックスバリアを前記回転軸孔の周囲に間隔をおいて形成した鉄心片を積層して成り、前記円弧状フラックスバリアの延設方向に沿って磁束が流れ易い突極方向と、前記円弧状フラックスバリアの並設方向に沿って磁束が流れ難い非突極方向とのインダクタンスの差に基づいて生じるリラクタンストルクにより回転するリラクタンスモータ用回転子積層鉄心において、
前記鉄心片の前記円弧状フラックスバリアを、カシメ部を兼ねる円弧状凹凸段部から構成し、同一形状の前記円弧状凹凸段部を順次嵌合することで前記各鉄心片が互いにかしめ積層されて一体化したことを特徴としている。
【００１１】
【００１２】
さらに、請求項２の発明に関わるリラクタンスモータ用回転子積層鉄心は、請求項１の発明に関わるリラクタンスモータ用回転子積層鉄心において、円弧状凹凸段部に貫通孔を形成したことを特徴としている。
【発明の効果】
【００１３】
請求項１の発明に関わるリラクタンスモータ用回転子積層鉄心では、鉄心片の円弧状フラックスバリアを、カシメ部を兼ねる円弧状凹凸段部から構成したことで、従来の回転子積層鉄心に見られた非磁性体の充填を必要とせず、従来の円弧状スリットの如き空間が排除できるため、製造工程の繁雑化や製造コストの増加を伴うことなく、積層鉄心の機械的強度を大きなものとすることができ、もって高速回転に伴う遠心力に対して十分に適用することが可能となる。
【００１４】
また、円弧状フラックスバリアを構成する円弧状凹凸段部は、磁束流れの抵抗体となって、磁束が流れ難い非突極方向(ｑ−ｑ軸)のインダクタンスを下げるので、リラクタンスモータとしてのモータ特性が維持されることとなる。
【００１５】
【００１６】
【００１７】
【００１８】
請求項２の発明に関わるリラクタンスモータ用回転子積層鉄心では、円弧状凹凸段部に貫通孔を形成したことにより、上記円弧状凹凸段部における実質的な断面積が可及的に小さくなるため、磁束が流れ難い非突極方向(ｑ−ｑ軸)のインダクタンスがより大きく低下し、リラクタンスモータとしてのモータ特性が更に向上することとなる。
【発明を実施するための最良の形態】
【００１９】
以下、実施例を示す図面に基づいて、本発明を詳細に説明する。 
図１および図２は、本発明に関わるリラクタンスモータ用回転子積層鉄心の第１の実施例を示しており、この回転子積層鉄心(リラクタンスモータ用回転子積層鉄心)１０は、所定枚数の鉄心片(回転子鉄心片)１１、１１…を積層し、これら鉄心片１１、１１…を、後述するカシメ部を兼ねる円弧状凹凸段部(円弧状フラックスバリア)１１ｂ、１１ｂ…により一体化して構成され、その中央部には回転軸孔１０ｏが開口している。
【００２０】
また、上記回転子積層鉄心１０では、磁気的な突極方向の磁路と非突極方向の磁路とを形成するべく、各々の鉄心片１１、１１…に、回転軸孔１１ａ側を凸とした複数の円弧状凹凸段部１１ｂ、１１ｂ…が同心状に形成されており、これら同心状に形成された円弧状凹凸段部１１ｂ、１１ｂ…のグループは、上記回転軸孔１１ａの周囲に間隔をおいて複数組、実施例においては４組のグループが形成されている。
【００２１】
上記円弧状凹凸段部１１ｂ、１１ｂ…は、図２(ｂ)に示す如く断面が矩形状を呈する所謂「角平型」のカシメ部を構成しており、これらカシメ部を兼ねる円弧状凹凸段部１１ｂ、１１ｂ…が順次嵌合することで、各々の鉄心片１１、１１…は互いにカシメ積層されて一体化している。
【００２２】
なお、上記円弧状凹凸段部１１ｂは、実施例に示した曲線による円弧状の形態のみならず、例えば複数の短い直線を連続させて成る円弧状であっても良いことは言うまでもない。
【００２３】
上記構成により、円弧状凹凸段部１１ｂ、１１ｂ…の延設方向に沿って、磁束の流れ易い突極方向(ｄ−ｄ軸)の磁路が形成され、また円弧状凹凸段部１１ｂ、１１ｂ…の並設方向に沿って、磁束が流れ難い非突極方向(ｑ−ｑ軸)の磁路が形成され、かくして上記回転子積層鉄心１０は、突極方向と非突極方向とのインダクタンスの差に基づいて生じるリラクタンストルクにより回転することとなる。
【００２４】
上述した如き構成の回転子積層鉄心１０では、鉄心片１１、１１…の円弧状フラックスバリアを、カシメ部を兼ねる円弧状凹凸段部１１ｂ、１１ｂ…から構成したことで、従来の回転子積層鉄心に見られた非磁性体の充填を必要とせずに、従来の円弧状スリットの如き空間を排除することができる。
【００２５】
かくして、上記回転子積層鉄心１０によれば、製造工程の繁雑化や製造コストの増加を伴うことなく、積層鉄心の機械的強度を大きなものとすることができ、もって高速回転に伴う遠心力に対して十分に適用することが可能となる。
【００２６】
また、上述した構成の回転子積層鉄心１０では、円弧状凹凸段部１１ｂ、１１ｂ…が磁束流れの抵抗体となって、磁束が流れ難い非突極方向(ｑ−ｑ軸)のインダクタンスを下げるので、上記回転子積層鉄心１０を採用したリラクタンスモータのモータ特性が維持されることとなる。
【００２７】
さらに、従来の回転子積層鉄心Ａ′(図９参照)が、円弧状スリットに非磁性材を充填した構造であるため、積層された鉄心片と非磁性材との分解が困難であったのに対し、実施例に示した回転子積層鉄心１０は、非磁性体の充填が為されていないために、上記回転子積層鉄心１０を構成する鉄心片１１、１１…を効率良くリサイクルすることができる。
【００２８】
図３に示す回転子積層鉄心１０′は、図１および図２に示した回転子積層鉄心１０の変形例であって、図３(ｂ)に示す如く円弧状凹凸段部１１ｂ′、１１ｂ′…は、断面が扁平なＶ字形状を呈する所謂「Ｖ型」のカシメ部を構成しており、これらカシメ部を兼ねる円弧状凹凸段部１１ｂ′、１１ｂ′…が順次嵌合することで、各々の鉄心片１１′、１１′…は互いにカシメ積層されて一体化している。
【００２９】
ここで、上述した回転子積層鉄心１０′の構成は、円弧状凹凸段部１１ｂ′の断面形状以外、回転子積層鉄心１０と変わるところはないので、該回転子積層鉄心１０と同一の要素には、図２と同一の符号に′(ダッシュ)を附して説明を省略する。
【００３０】
上記構成の回転子積層鉄心１０′においても、上述した回転子積層鉄心１０と同様の作用効果を奏することは言うまでもない。 
また、カシメ部を兼ねる円弧状凹凸段部の形状は、上述した「角平型」あるいは「Ｖ型」のみならず、適宜なタイプのカシメ部を構成する形状を採用し得ることは勿論である。
【００３１】
図４は、本発明に関わるリラクタンスモータ用回転子積層鉄心の第２の実施例を示しており、この回転子積層鉄心２０を構成する鉄心片２１、２１…には、同心状に形成された複数の円弧状凹凸段部２１ｂ、２１ｂ…と円弧状スリット２１ｓ、２１ｓ…とが形成されており、鉄心片２１の回転軸孔２１ａに寄った位置に４つの円弧状凹凸段部２１ｂ、２１ｂ…が形成され、鉄心片２１の外周に寄った位置に４つの円弧状スリット２１ｓ、２１ｓ…が形成されている。
【００３２】
また、回転子積層鉄心２０を構成する鉄心片２１、２１…は、カシメ部を兼ねる円弧状凹凸段部２１ｂ、２１ｂ…が順次嵌合することで、互いにカシメ積層されて一体化している。
【００３３】
上述した如き構成の回転子積層鉄心２０では、鉄心片２１、２１…の円弧状フラックスバリアの一部を、カシメ部を兼ねる円弧状凹凸段部２１ｂ、２１ｂ…から構成したことで、従来の回転子積層鉄心に見られた円弧状スリット２１ｓ、２１ｓ…に非磁性体の充填を必要とせず、もって製造工程の繁雑化や製造コストの増加を伴うことなく、積層鉄心の機械的強度を大きなものとすることができ、高速回転に伴う遠心力に対して十分に適用することが可能となる。なお、必要に応じ、前記円弧状スリット２１ｓ、２１ｓ…の近傍に、カシメ部を補足的に設けることによって、カシメ締結力を補強するよう構成することも可能である。
【００３４】
また、上述した構成の回転子積層鉄心２０では、円弧状凹凸段部２１ｂ、２１ｂ…が磁束流れの抵抗体となって、磁束が流れ難い非突極方向(ｑ−ｑ軸)のインダクタンスを下げることと併せ、円弧状スリット２１ｓ、２１ｓ…が磁束流れの大きな抵抗体となり、磁束が流れ難い非突極方向(ｑ−ｑ軸)のインダクタンスを大きく下げるために、リラクタンスモータとしてのモータ特性が大幅に向上することとなる。
【００３５】
また、上述した構成の回転子積層鉄心２０では、非磁性体の充填が為されていないために、上記回転子積層鉄心２０を構成する鉄心片２１、２１…を効率良くリサイクルすることができる。
【００３６】
なお、上述した実施例では、鉄心片２１の回転軸孔２１ａに寄った位置に４つの円弧状凹凸段部２１ｂを形成し、鉄心片２１の外周に寄った位置に４つの円弧状スリット２１ｓを形成しているが、上記円弧状凹凸段部２１ｂおよび円弧状スリット２１ｓの形成数、並びに鉄心片２１上におけるレイアウト(並び順)は、回転子積層鉄心の仕様等に基づいて適宜に設定し得るものである。
【００３７】
図５は、本発明に関わるリラクタンスモータ用回転子積層鉄心の第３の実施例を示しており、この回転子積層鉄心３０を構成する鉄心片３１、３１…には、回転軸孔３１ａ側を凸とした複数の円弧状凹凸段部３１ｂ、３１ｂ…が同心状に形成されており、これら円弧状凹凸段部３１ｂ、３１ｂ…には、それぞれ円弧状凹凸段部３１ｂに沿った複数個の長孔(貫通孔)３１ｏ、３１ｏ…が貫通して形成されている。
【００３８】
また、回転子積層鉄心３０を構成する鉄心片３１、３１…は、カシメ部を兼ねる円弧状凹凸段部３１ｂ、３１ｂ…が順次嵌合することで、互いにカシメ積層されて一体化している。
【００３９】
上述した如き構成の回転子積層鉄心３０では、鉄心片３１、３１…の円弧状フラックスバリアを、カシメ部を兼ねる円弧状凹凸段部３１ｂ、３１ｂ…から構成したことで、従来の回転子積層鉄心に見られた非磁性体の充填を必要とせずに、従来の円弧状スリットの如き空間を排除することができ、もって製造工程の繁雑化や製造コストの増加を伴うことなく、積層鉄心の機械的強度を大きなものとすることができ、高速回転に伴う遠心力に対して十分に適用することが可能となる。
【００４０】
また、上述した構成の回転子積層鉄心３０では、円弧状凹凸段部３１ｂ、３１ｂ…が磁束流れの抵抗体となって、磁束が流れ難い非突極方向(ｑ−ｑ軸)のインダクタンスを下げることと併せ、各々の円弧状凹凸段部３１ｂに形成された長孔３１ｏ、３１ｏ…も磁束流れの抵抗体となり、磁束が流れ難い非突極方向(ｑ−ｑ軸)のインダクタンスを下げるために、リラクタンスモータとしてのモータ特性が大幅に向上することとなる。
【００４１】
また、上述した構成の回転子積層鉄心３０では、非磁性体の充填が為されていないために、上記回転子積層鉄心３０を構成する鉄心片３１、３１…を効率良くリサイクルすることができる。
【００４２】
なお、円弧状凹凸段部３１ｂにおける長孔３１ｏ、３１ｏ…の形成個数、形成位置、および大きさ等は、回転子積層鉄心の仕様等に基づいて適宜に設定し得るものであり、また円弧状凹凸段部３１ｂにおける貫通孔の形状は、実施例に示した長孔のみならず、例えば丸孔等の任意の形状とすることが可能である。
【００４３】
図６は、本発明に関わるリラクタンスモータ用回転子積層鉄心の第４の実施例を示しており、この回転子積層鉄心４０を構成する鉄心片４１、４１…には、回転軸孔４１ａ側を凸とした複数の円弧状凹凸段部４１ｂ、４１ｂ…が同心状に形成されているとともに、鉄心片４１の略径方向に沿った３本のリブ４１ｃ、４１ｃ、４１ｃが、上記円弧状凹凸段部４１ｂ、４１ｂ…を分断する態様で形成されている。
【００４４】
また、回転子積層鉄心４０を構成する鉄心片４１、４１…は、カシメ部を兼ねる円弧状凹凸段部４１ｂ、４１ｂ…が順次嵌合することで、互いにカシメ積層されて一体化している。
【００４５】
上述した如き構成の回転子積層鉄心４０では、鉄心片４１、４１…の円弧状フラックスバリアを、カシメ部を兼ねる円弧状凹凸段部４１ｂ、４１ｂ…から構成したことで、従来の回転子積層鉄心に見られた非磁性体の充填を必要とせずに、従来の円弧状スリットの如き空間を排除することができ、もって製造工程の繁雑化や製造コストの増加を伴うことなく、積層鉄心の機械的強度を大きなものとすることができ、高速回転に伴う遠心力に対して十分に適用することが可能となる。
【００４６】
また、上述した構成の回転子積層鉄心４０では、円弧状凹凸段部４１ｂ、４１ｂ…が磁束流れの抵抗体となって、磁束が流れ難い非突極方向(ｑ−ｑ軸)のインダクタンスを下げるために、リラクタンスモータとしてのモータ特性が大幅に向上することとなる。
【００４７】
また、上述した構成の回転子積層鉄心４０では、鉄心片４１の略径方向に沿って形成したリブ４１ｃにより、円弧状凹凸段部４１ｂが分断されていることで、各円弧状凹凸段部４１ｂにおける長手方向の寸法が短いものとなるため、個々の円弧状凹凸段部４１ｂを容易に形成することができる。
【００４８】
また、上述した構成の回転子積層鉄心４０では、非磁性体の充填が為されていないために、上記回転子積層鉄心４０を構成する鉄心片４１、４１…を効率良くリサイクルすることができる。
【００４９】
なお、鉄心片４１におけるリブ４１ｃの形成個数、形成位置、および大きさ(太さ、長さ)等は、回転子積層鉄心の仕様等に基づいて適宜に設定し得ることは言うまでもない。
【００５０】
図７は、本発明に関わるリラクタンスモータ用回転子積層鉄心の第５の実施例を示しており、この回転子積層鉄心５０を構成する鉄心片５１、５１…には、回転軸孔５１ａ側を凸とした複数の円弧状凹凸段部５１ｂ、５１ｂ…が同心状に形成されているとともに、鉄心片５１の略径方向に沿った３本のリブ５１ｃ、５１ｃ、５１ｃが、上記円弧状凹凸段部５１ｂ、５１ｂ…を分断する態様で形成されている。
【００５１】
さらに、上記３本のリブ５１ｃ、５１ｃ、５１ｃには、それぞれ複数個の丸孔(貫通孔)５１ｏ、５１ｏ…が貫通して形成されている。
【００５２】
また、回転子積層鉄心５０を構成する鉄心片５１、５１…は、カシメ部を兼ねる円弧状凹凸段部５１ｂ、５１ｂ…が順次嵌合することで、互いにカシメ積層されて一体化している。
【００５３】
上述した如き構成の回転子積層鉄心５０では、鉄心片５１、５１…の円弧状フラックスバリアを、カシメ部を兼ねる円弧状凹凸段部５１ｂ、５１ｂ…から構成したことで、従来の回転子積層鉄心に見られた非磁性体の充填を必要とせずに、従来の円弧状スリットの如き空間を排除することができ、もって製造工程の繁雑化や製造コストの増加を伴うことなく、積層鉄心の機械的強度を大きなものとすることができ、高速回転に伴う遠心力に対して十分に適用することが可能となる。
【００５４】
また、上述した構成の回転子積層鉄心５０では、円弧状凹凸段部５１ｂ、５１ｂ…が磁束流れの抵抗体となって、磁束が流れ難い非突極方向(ｑ−ｑ軸)のインダクタンスを下げることと併せ、各々のリブ５１ｃに形成された丸孔５１ｏ、５１ｏ…も磁束流れの抵抗体となり、磁束が流れ難い非突極方向(ｑ−ｑ軸)のインダクタンスを下げるために、リラクタンスモータとしてのモータ特性が大幅に向上することとなる。
【００５５】
また、上述した構成の回転子積層鉄心５０では、鉄心片５１の略径方向に沿って形成したリブ５１ｃにより、円弧状凹凸段部５１ｂが分断されていることで、各円弧状凹凸段部５１ｂにおける長手方向の寸法が短いものとなるため、個々の円弧状凹凸段部５１ｂを容易に形成することができる。
【００５６】
また、上述した構成の回転子積層鉄心５０では、非磁性体の充填が為されていないために、上記回転子積層鉄心５０を構成する鉄心片５１、５１…を効率良くリサイクルすることができる。
【００５７】
なお、鉄心片５１におけるリブ５１ｃの形成個数、形成位置、および大きさ(太さ、長さ)等は、回転子積層鉄心の仕様等に基づいて適宜に設定し得るものであり、また上記リブ５１ｃにおける貫通孔の形状は、実施例に示した丸孔のみならず、例えば突極方向(ｄ−ｄ軸)に流れる磁束を妨げない大きさの長孔であっても良い。
【図面の簡単な説明】
【００５８】
【図１】(ａ)および(ｂ)は、本発明に関わるリラクタンスモータ用回転子積層鉄心の第１の実施例を示す外観平面図および外観側面図。
【図２】(ａ)は図１のリラクタンスモータ用回転子積層鉄心の要部平面図、(ｂ)は(ａ)中のｂ−ｂ線断面図。
【図３】(ａ)は図１のリラクタンスモータ用回転子積層鉄心の変形例を示す要部平面図、(ｂ)は(ａ)中のｂ−ｂ線断面図。
【図４】本発明に関わるリラクタンスモータ用回転子積層鉄心の第２の実施例を示す要部平面図。
【図５】(ａ)は本発明に関わるリラクタンスモータ用回転子積層鉄心の第３の実施例を示す要部平面図、(ｂ)は(ａ)中のｂ−ｂ線断面図。
【図６】本発明に関わるリラクタンスモータ用回転子積層鉄心の第４の実施例を示す要部平面図。
【図７】本発明に関わるリラクタンスモータ用回転子積層鉄心の第５の実施例を示す要部平面図。
【図８】(ａ)および(ｂ)は、従来のリラクタンスモータ用回転子積層鉄心の外観平面図および外観側面図。
【図９】(ａ)および(ｂ)は、従来のリラクタンスモータ用回転子積層鉄心の外観平面図および断面側面図。
【符号の説明】
【００５９】
１０、１０′…リラクタンスモータ用回転子積層鉄心、
１１、１１′…鉄心片、
１１ａ、１１ａ′…回転軸孔、
１１ｂ、１１ｂ′…円弧状凹凸段部(円弧状フラックスバリア)
２０…リラクタンスモータ用回転子積層鉄心、
２１…鉄心片、
２１ａ…回転軸孔、
２１ｂ…円弧状凹凸段部(円弧状フラックスバリア)、
２１ｓ…円弧状スリット(円弧状フラックスバリア)、
３０…リラクタンスモータ用回転子積層鉄心、
３１…鉄心片、
３１ａ…回転軸孔、
３１ｂ…円弧状凹凸段部(円弧状フラックスバリア)、
３１ｏ…貫通孔、
４０…リラクタンスモータ用回転子積層鉄心、
４１…鉄心片、
４１ａ…回転軸孔、
４１ｂ…円弧状凹凸段部(円弧状フラックスバリア)、
４１ｃ…リブ、
５０…リラクタンスモータ用回転子積層鉄心、
５１…鉄心片、
５１ａ…回転軸孔、
５１ｂ…円弧状凹凸段部(円弧状フラックスバリア)、
５１ｃ…リブ、
５１ｏ…貫通孔。
【図１】
0005201899.tif 000002
【図２】
0005201899.tif 000003
【図３】
0005201899.tif 000004
【図４】
0005201899.tif 000005
【図５】
0005201899.tif 000006
【図６】
0005201899.tif 000007
【図７】
0005201899.tif 000008
【図８】
0005201899.tif 000009
【図９】
0005201899.tif 000010